(57)【要約】【課題】  高温、高圧の過酷な環境下でも優れた酸化安定性および摩擦特性を持つため油圧作動油に適した潤滑油組成物を提供する。【解決手段】  本発明は、ベースオイル、液状オレフィン共重合体、ホスホロチオアート化合物、及びホスホニウムホスフェートを含む潤滑油組成物を提供する。【選択図】なし【特許請求の範囲】
【請求項１】
ベースオイル、液状オレフィン共重合体、ホスホロチオアート化合物、及びホスホニウムホスフェートを含む潤滑油組成物。
【請求項２】
前記液状オレフィン共重合体は、エチレン及びα−オレフィンをシングルサイト触媒システムの下で共重合させて製造されることを特徴とする、請求項１に記載の潤滑油組成物。
【請求項３】
前記ホスホロチオアート化合物が、
モノホスホロチオアート（ｍｏｎｏｐｈｏｓｐｈｏｒｏｔｈｉｏａｔｅ）、ジホスホロチオアート（ｄｉｐｈｏｓｐｈｏｒｏｔｈｉｏａｔｅ）、トリホスホロチオアート（ｔｒｉｐｈｏｓｐｈｏｒｏｔｈｉｏａｔｅ）、メチルホスホロチオアート（ｍｅｔｈｙｌｐｈｏｓｐｈｏｒｏｔｈｉｏａｔｅ）、エチルホスホロチオアート（ｅｔｈｙｌｐｈｏｓｐｈｏｒｏｔｈｉｏａｔｅ）及びスルホニルホスホロチオアート（ｓｕｌｆｏｎｙｌｐｈｏｓｐｈｏｒｏｔｈｉｏａｔｅ）よりなる群から選択された１種以上であることを特徴とする、請求項１に記載の潤滑油組成物。
【請求項４】
前記ホスホニウムホスフェートが下記化学式７の構造を有することを特徴とする、請求項１に記載の潤滑油組成物。
【化５】
2020139139.tif 000021
【請求項５】
前記シングルサイト触媒システムがメタロセン触媒、有機金属化合物及びイオン性化合物を含むことを特徴とする、請求項２に記載の潤滑油組成物。
【請求項６】
前記液状オレフィン共重合体は、熱膨張係数が３．０〜４．０であることを特徴とする、請求項１に記載の潤滑油組成物。
【請求項７】
前記液状オレフィン共重合体は、臭素価（Ｂｒｏｍｉｎｅ  Ｎｕｍｂｅｒ）が０．１以下であることを特徴とする、請求項１に記載の潤滑油組成物。
【請求項８】
前記潤滑油組成物内の前記ホスホロチオアート化合物が０．１〜５．０重量％含まれることを特徴とする、請求項１に記載の潤滑油組成物。
【請求項９】
前記潤滑油組成物内の前記液状オレフィン共重合体が０．５〜３０重量％含まれることを特徴とする、請求項１に記載の潤滑油組成物。
【請求項１０】
前記ベースオイルは、鉱油、ポリアルファオレフィン（ＰＡＯ）またはエステルを含む基油よりなる群から選択された１種以上であることを特徴とする、請求項１に記載の潤滑油組成物。
【請求項１１】
前記潤滑油組成物は、酸化防止剤、金属洗浄剤、防食剤、泡沫抑制剤、流動点降下剤、粘度調整剤、耐磨耗剤及びこれらの組み合わせよりなる群から選択される添加剤をさらに含むことを特徴とする、請求項１に記載の潤滑油組成物。
【請求項１２】
前記潤滑油組成物は、ＳＲＶ摩擦係数が０．１〜０．３５であることを特徴とする、請求項１に記載の潤滑油組成物。
【請求項１３】
前記潤滑油組成物は、静止摩擦係数が０．１５〜０．３であることを特徴とする、請求項１に記載の潤滑油組成物。
【請求項１４】
前記潤滑油組成物は、酸化安定性評価（ＲＢＯＴ、ＡＳＴＭ  Ｄ２２７１）で１０００分（ｍｉｎ）以上を示すことを特徴とする、請求項１に記載の潤滑油組成物。
【請求項１５】
前記潤滑油組成物が油圧作動油として用いられることを特徴とする、請求項１に記載の潤滑油組成物。
【発明の詳細な説明】
【技術分野】
【０００１】
本発明は、潤滑油組成物に係り、より詳細には、高温、高圧の過酷な環境下でも優れた酸化安定性および摩擦特性を持つため油圧作動油に適した潤滑油組成物に関する。
【背景技術】
【０００２】
潤滑油とは、機械の摩擦面に生じる摩擦力を減らすか、または摩擦面から発生する摩擦熱を分散させる目的で使用される油状物質であって、潤滑を必要とする機械類は非常に多様であり、その機械が作動する条件も多いので、潤滑油の種類が非常に多く品質も様々である。このため、用途によって基油を区分して使用する必要があり、特に航空機や高度の油圧システムで潤滑油を使用するときには、高い難燃効果を有する作動油が求められている。
【０００３】
産業現場で使われている各種油圧作動油は、動力伝達の媒体であって、油圧装備の各部の潤滑、防錆、密封、冷却などの役割を果たす。このような油圧作動油は、基油と呼ばれるベースオイルに添加剤を加えて製造され、基油の種類によって大きく鉱油系作動油（石油系作動油）と合成作動油に区分され、前記合成作動油は、ポリアルファオレフィン系作動油とエステル系作動油に区分される。
【０００４】
一方、油圧作動油の運転温度範囲は多様であり、特に夏は７５〜８５℃以上での運転にもなる。しかし、この温度で鉱油系作動油及びポリアルファオレフィン系作動油は、多くの油蒸気を発生させる。このような油蒸気の発生は、作動油の蒸発減量を増加させる問題を発生させるのみならず、作動油の酸化を促進させてこれを最小限に抑えることが必要である。特に作動油の大部分を占める鉱油系作動油は、基礎原料油の特性により酸化安定性を改善するための追加の方法が必要である。また、最近の油圧作動システムは次第に高性能化されているので、油圧作動油の場合は優れた摩擦特性が求められている。
【０００５】
そこで、本発明者らは、熱および酸化安定性に優れ且つ油圧装備の機械的な摩耗を減少させることができる油圧作動油用潤滑油組成物を開発することになった。
【先行技術文献】
【特許文献】
【０００６】
【特許文献１】韓国特許第１０−０２０１７５９号公報
【特許文献２】韓国公開特許第１０−２００８−０１０９０１５号公報
【発明の概要】
【発明が解決しようとする課題】
【０００７】
本発明の目的は、摩擦低減用機能性添加剤および粘度指数の高いエチレン及びα−オレフィン液状ランダム共重合体を混合使用することにより、摩擦特性、熱および酸化安定性に優れた潤滑油組成物を提供することにある。
【０００８】
また、本発明の他の目的は、油圧装備への適用の際に油圧装備の機械的な摩耗及びエネルギー消耗を減らし、油圧油の物理的な特性変化が少なくて蒸発減量が減少し、長時間の使用が可能な油圧作動油用潤滑油組成物を提供することにある。
【課題を解決するための手段】
【０００９】
上記の目的を達成するために、本発明は、ベースオイル、液状オレフィン共重合体、ホスホロチオアート（ｐｈｏｓｐｈｏｒｏｔｈｉｏａｔｅ）化合物、及びホスホニウムホスフェートを含む潤滑油組成物を提供する。
【００１０】
前記ベースオイルは、鉱油、ポリアルファオレフィン（ＰＡＯ）またはエステルを含む基油よりなる群から選択された１種以上であってもよい。
【００１１】
前記液状オレフィン共重合体は、エチレン及びα−オレフィンをシングルサイト触媒システムの下で共重合させて製造されるものであってもよく、前記シングルサイト触媒システムは、メタロセン触媒、有機金属化合物及びイオン性化合物を含むことが好ましい。
【００１２】
また、前記液状オレフィン共重合体は、熱膨張係数が３．０〜４．０であってもよい。
【００１３】
本発明の潤滑油組成物内の液状オレフィン共重合体の含有量は、０．５〜３０重量％、好ましくは０．５〜２５重量％であってもよい。
【００１４】
前記潤滑油組成物内のホスホロチオアート化合物の含有量は、０．１〜５．０重量％、好ましくは０．１〜３．０重量％であってもよい。
【００１５】
前記潤滑油組成物内のホスホニウムホスフェートの含有量は、０．０５〜３．０重量％、好ましくは０．１〜１．５重量％であってもよい。
【００１６】
前記潤滑油組成物は、ＳＲＶ摩擦係数が０．１〜０．３５であり、静止摩擦係数が０．１５〜０．３であってもよい。
【発明の効果】
【００１７】
ホスホロチオアート（ｐｈｏｓｐｈｏｒｏｔｈｉｏａｔｅ）、ホスホニウムホスフェート、及び粘度指数の高いエチレンとα−オレフィン液状ランダム共重合体を混合使用することにより、摩擦特性、熱および酸化安定性を向上させることができ、これにより、油圧装備への適用の際に油圧装備の機械的な摩耗及びエネルギー消耗を減らして省エネルギー効果を最大化することができる。
【００１８】
また、本発明により、油圧油の物理的な特性変化が少なくて蒸発減量が減少し、ＲＢＯＴ酸化安定性試験（ＡＳＴＭ  Ｄ２２７１）で１０００ｍｉｎ以上、好ましくは１２００ｍｉｎ以上を示して長時間の使用が可能な油圧作動油用潤滑油組成物を提供することができる。
【発明を実施するための形態】
【００１９】
以下、本発明を詳細に説明する。
【００２０】
本発明は、酸化安定性及び摩擦特性に優れて油圧作動油としての使用に適した潤滑油組成物に関するものである。上記の目的を達成するために、本発明の潤滑油組成物は、ベースオイル、液状オレフィン共重合体、ホスホロチオアート（ｐｈｏｓｐｈｏｒｏｔｈｉｏａｔｅ）化合物、及びホスホニウムホスフェートを含むことを特徴とする。
【００２１】
このとき、ベースオイルは、製造方法や精製方法などにより粘度特性や耐熱性、酸化安定性などの性能が異なるが、一般に鉱油及び合成油に区分される。ＡＰＩ（Ａｍｅｒｉｃａｎ  Ｐｅｔｒｏｌｅｕｍ  Ｉｎｓｔｉｔｕｔｅ）では、ベースオイルをグループI、II、III、IV及びVの５種類に分類している。これらのＡＰＩカテゴリーは、ＡＰＩ  Ｐｕｂｌｉｃａｔｉｏｎ  １５０９、１５ｔｈ  Ｅｄｉｔｉｏｎ、Ａｐｐｅｎｄｉｘ  Ｅ、Ａｐｒｉｌ  ２００２に定義されており、これは下記表１に示すとおりである。
【００２２】
【表１】
2020139139.tif 000002
本発明の潤滑油組成物に含まれる前記ベースオイルは、鉱油、ポリアルファオレフィン（ＰＡＯ）またはエステルを含む基油よりなる群から選択された１種以上であり、ＡＰＩカテゴリーのグループＩ〜Ｖのいずれであってもよい。
【００２３】
より詳細には、前記鉱油は、上述したＡＰＩカテゴリーのI〜IIIに属するものであり、前記鉱油は、例えば、原油を常圧蒸留および／または減圧蒸留して得られた潤滑油留分を溶剤脱れき、溶剤抽出、水素化分解、溶剤脱ろう、接触脱ろう、水素化精製、硫酸洗浄、白土処理などの精製処理を一つ以上行って精製したもの；またはワックス異性化鉱油；またはフィッシャー・トロプシュ法によって得られたガス−液化（ＧＬＴ、ｇａｓ  ｔｏ  ｌｉｑｕｉｄ）油；であってもよい。
【００２４】
前記合成油は、上述したＡＰＩカテゴリーのグループIVまたはVに属するものであって、グループIVに属するポリ−α−オレフィンは、例えば、米国特許第３，７８０，１２８号公報、米国特許第４，０３２，５９１号公報、特開平１−１６３１３６号公報などに開示されているように、酸触媒によって高級α−オレフィンをオリゴマー化することにより得られるが、これらに限定されるものではない。
【００２５】
グループVに属する合成油は、例えば、アルキルベンゼン類、アルキルナフタレン類、イソブテンオリゴマーまたはその水素化物、パラフィン類、ポリオキシアルキレングリコール、ジアルキルジフェニルエーテル、ポリフェニルエーテルまたはエステルなどであってもよい。
【００２６】
この時、前記アルキルベンゼン類、アルキルナフタレン類は、通常、アルキル鎖の長さが炭素原子数６〜１４のジアルキルベンゼンまたはジアルキルナフタレンであり、このようなアルキルベンゼン類またはアルキルナフタレン類は、ベンゼンまたはナフタレンとオレフィンとのフリーデル・クラフツアルキル化反応によって製造される。アルキルベンゼン類またはアルキルナフタレン類の製造に使用されるアルキル化オレフィンは、直鎖状または分枝状オレフィン、またはこれらの組み合わせであってもよい。
【００２７】
また、前記エステルは、例えば、ジトリデシルグルタレート、ジ−２−エチルヘキシルアジペート、ジイソデシルアジペート、ジトリデシルアジペート、ジ−２−エチルヘキシルセバケート、トリデシルペラルゴネート、ジ−２−エチルヘキシルアジペート、ジ−２−エチルヘキシルアゼラート、トリメチロールプロパンカプリレート、トリメチロールプロパンペラルゴネート、トリメチロールプロパントリヘプタノエート、ペンタエリトリトール−２−エチルヘキサノエート、ペンタエリトリトールペラルゴネート、またはペンタエリトリトールテトラヘプタノエートなどであり得るが、これらに限定されるものではない。
【００２８】
本発明の潤滑油組成物に含まれる前記液状オレフィン共重合体は、共重合体鎖中にアルファ−オレフィン単位が均一に分布するようにするために、シングルサイト触媒システムの下でエチレンおよびアルファオレフィン単量体を共重合させて製造され、好ましくは、前記液状オレフィン共重合体は、架橋メタロセン化合物、有機金属化合物及び前記架橋メタロセン化合物と反応してイオン対を形成するイオン性化合物を含むシングルサイト触媒システムの下で、エチレンおよびアルファオレフィン単量体を反応させて製造できる。
【００２９】
この時、前記シングルサイト触媒システムに含まれる前記メタロセン化合物は、下記化学式１〜６で表される群から選択された１種以上であってもよい。
【００３０】
【化１】
2020139139.tif 000003
【００３１】
【化２】
2020139139.tif 000004
前記化学式１乃至４中、
Ｍはチタン、ジルコニウムおよびハフニウムよりなる群から選択された遷移金属であり、
Ｂは炭素数１〜２０のアルキレン基、炭素数６〜２０のアリーレン基、炭素数１〜２０のジアルキルシリコン、炭素数１〜２０のジアルキルゲルマニウム、炭素数１〜２０のアルキルホスフィン基または炭素数１〜２０のアルキルアミン基の連結基であるか、連結基がない形態であり、
Ｘ１とＸ２は、互いに同一でも異なってもよく、それぞれ独立して、ハロゲン原子、炭素数１〜２０のアルキル基、炭素数２〜２０のアルケニル基、炭素数２〜２０のアルキニル基、炭素数６〜２０のアリール基、炭素数７〜４０のアルキルアリール基、炭素数７〜４０のアリールアルキル基、炭素数１〜２０のアルキルアミド基、炭素数６〜２０のアリールアミド基、炭素数１〜２０のアルキリデン基または炭素数１〜２０のアルコキシ基であり、
Ｒ１乃至Ｒ１０は、互いに同一でも異なってもよく、それぞれ独立して、水素、炭素数１〜２０のアルキル基、炭素数２〜２０のアルケニル基、炭素数６〜２０のアリール基、炭素数７〜２０のアルキルアリール基、炭素数７〜２０のアリールアルキル基、炭素数５〜６０のシクロアルキル基、炭素数４〜２０の複素環基、炭素数１〜２０のアルキニル基、炭素数６〜２０のアリール基が含まれているヘテロ基またはシリル基であってもよい。
【００３２】
【化３】
2020139139.tif 000005
前記化学式５および６中、
Ｍはチタン、ジルコニウムおよびハフニウムよりなる群から選択された遷移金属であり、
Ｂは炭素数１〜２０のアルキレン基、炭素数６〜２０のアリーレン基、炭素数１〜２０のジアルキルシリコン、炭素数１〜２０のジアルキルゲルマニウム、炭素数１〜２０のアルキルホスフィン基または炭素数１〜２０のアルキルアミン基の連結基であるか、連結基がない形態であり、
Ｘ１とＸ２は、互いに同一でも異なってもよく、それぞれ独立して、ハロゲン原子、炭素数１〜２０のアルキル基、炭素数２〜２０のアルケニル基、炭素数２〜２０のアルキニル基、炭素数６〜２０のアリール基、炭素数７〜４０のアルキルアリール基、炭素数７〜４０のアリールアルキル基、炭素数１〜２０のアルキルアミド基、炭素数６〜２０のアリールアミド基、炭素数１〜２０のアルキリデン基または炭素数１〜２０のアルコキシ基であり、
Ｒ１乃至Ｒ１０は、互いに同一でも異なってもよく、それぞれ独立して、水素、炭素数１〜２０のアルキル基、炭素数２〜２０のアルケニル基、炭素数６〜２０のアリール基、炭素数７〜２０のアルキルアリール基、炭素数７〜２０のアリールアルキル基、炭素数５〜６０のシクロアルキル基、炭素数４〜２０の複素環基、炭素数１〜２０のアルキニル基、炭素数６〜２０のアリール基が含まれているヘテロ基またはシリル基であってもよい。
【００３３】
Ｒ１１、Ｒ１３およびＲ１４は、互いに同じ水素であり、Ｒ１２は、互いに同一でも異なってもよく、それぞれ独立して、水素、炭素数１〜２０のアルキル基、炭素数２〜２０のアルケニル基、炭素数６〜２０のアリール基、炭素数７〜２０のアルキルアリール基、炭素数７〜２０のアリールアルキル基、炭素数５〜６０のシクロアルキル基、炭素数４〜２０の複素環基、炭素数１〜２０のアルキニル基、炭素数６〜２０のアリール基が含まれているヘテロ基またはシリル基であってもよい。
【００３４】
また、前記化学式２〜６のメタロセン化合物は、水素添加反応で置換された化合物の形態も含まれてもよく、好ましくは、ジメチルシリルビス（テトラヒドロインエテニル）ジルコニウムジクロリドである。
【００３５】
前記シングルサイト触媒システムに含まれる前記有機金属化合物は、有機アルミニウム化合物、有機マグネシウム化合物、有機亜鉛化合物及び有機リチウム化合物よりなる群から選択された１種以上であり、好ましくは有機アルミニウム化合物である。例えば、前記有機アルミニウム化合物は、トリメチルアルミニウム、トリエチルアルミニウム、トリイソブチルアルミニウム、トリプロピルアルミニウム、トリブチルアルミニウム、ジメチルクロロアルミニウム、ジメチルイソブチルアルミニウム、ジメチルエチルアルミニウム、ジエチルクロロアルミニウム、トリイソプロピルアルミニウム、トリイソブチルアルミニウム、トリシクロペンチルアルミニウム、トリペンチルアルミニウム、トリイソペンチルアルミニウム、エチルジメチルアルミニウム、メチルジエチルアルミニウム、トリフェニルアルミニウム、メチルアルミノキサン、エチルアルミノキサン、イソブチルアルミノキサン及びブチルアルミノキサンよりなる群から選択された１種以上であり、さらに好ましくはトリイソブチルアルミニウムである。
【００３６】
前記シングルサイト触媒システムに含まれる前記イオン性化合物は、ジメチルアニリウムデトラキス（パーフルオロフェニル）ホウ酸塩、トリフェニルカルボニウムテトラキス（パーフルオロフェニル）ホウ酸塩などの有機ホウ素化合物よりなる群から選択された１種以上であってもよい。
【００３７】
前記シングルサイト触媒システム成分の含有量比は、触媒活性を考慮して決定でき、好ましくはメタロセン触媒：イオン性化合物：有機金属化合物のモル比が１：１：５〜１：１０：１０００に調節されることが触媒活性の確保に有利である。
【００３８】
また、前記シングルサイト触媒システムを構成する成分は、同時にまたは任意の順序で適切な溶媒に添加され、活性を有する触媒システムとして作用することができ、この時、前記溶媒は、ペンタン、ヘキサン、ヘプタンなどの炭化水素系溶媒、またはベンゼン、トルエン、キシレンなどの芳香族溶媒が使用できるが、これに限定されるものではなく、製造時に使用可能なすべての溶媒が使用できる。
【００３９】
また、液状オレフィン共重合体の製造時に使用される前記アルファオレフィン単量体は、炭素数２〜２０の脂肪族オレフィンを含み、具体的には、エチレン、プロピレン、１−ブテン、１−ペンテン、３−メチル−１−ブテン、１−ヘキセン、４−メチル−１−ペンテン、３−メチル−１−ペンテン、１−ヘプテン、１−オクテン、１−デセン、１−ドデセンおよび１−テトラデセンよりなる群から選択された１種以上であり、ここには異性体が含まれている形態も該当することができるが、これらに限定されるものではない。共重合において、単量体は１〜９５モル％、好ましくは５〜９０モル％である。
【００４０】
本発明で要求される液状オレフィン共重合体は、熱膨張係数が３．０〜４．０であることを特徴とする。また、臭素価（Ｂｒｏｍｉｎｅ  Ｎｕｍｂｅｒ）が０．１以下であることが好ましい。
【００４１】
また、前記液状オレフィン共重合体は、潤滑油組成物全体１００重量％に対して０．５〜３０重量％、好ましくは０．５〜２５重量％が含まれるものであり得る。前記液状オレフィン共重合体の含有量が、潤滑油組成物全体１００重量％に対して０．５重量％未満の場合には安定性が低下し、３０重量％を超過する場合には油圧作動油への適用に困難があって好ましくない。
【００４２】
前記ホスホロチオアート（ｐｈｏｓｐｈｏｒｏｔｈｉｏａｔｅ）化合物は、摩擦低減剤として、モノホスホロチオアート（ｍｏｎｏｐｈｏｓｐｈｏｒｏｔｈｉｏａｔｅ）、ジホスホロチオアート（ｄｉｐｈｏｓｐｈｏｒｏｔｈｉｏａｔｅ）、トリホスホロチオアート（ｔｒｉｐｈｏｓｐｈｏｒｏｔｈｉｏａｔｅ）、メチルホスホロチオアート（ｍｅｔｈｙｌｐｈｏｓｐｈｏｒｏｔｈｉｏａｔｅ）、エチルホスホロチオアート（ｅｔｈｙｌｐｈｏｓｐｈｏｒｏｔｈｉｏａｔｅ）及びスルホニルホスホロチオアート（ｓｕｌｆｏｎｙｌｐｈｏｓｐｈｏｒｏｔｈｉｏａｔｅ）よりなる群から選択された１種以上であり得る。前記ホスホロチオアート化合物を含むことにより、従来の耐磨耗剤との相乗効果を示し、摩擦低減効果を示すだけでなく、摩擦低減による省エネ効果を持つ潤滑油組成物を提供する。
【００４３】
また、前記ホスホロチオアート化合物は、潤滑油組成物全体１００重量％に対し、０．１〜５．０重量％、好ましくは０．１〜３．０重量％が含まれるものであり得る。前記ホスホロチオアート化合物の含有量が潤滑油組成物全体１００重量％に対して０．１重量％未満である場合には、摩擦特性の改善効果が微々たるものであり、５．０重量％を超過する場合には、重量による改善効果が微々たるものなので、好ましくない。
【００４４】
前記ホスホニウムホスフェートは、下記化学式７の構造を有する物質であって、摩擦／摩耗低減剤として使用され、特にホスホロチオアート化合物のように使用される場合、その効果を極大化することができるという特徴がある。
【００４５】
【化４】
2020139139.tif 000006
前記ホスホニウムホスフェートは、ホスホニウムアニオンとホスフェートカチオンを同時に有するイオン性液体として存在し、様々なホスホニウム化合物の中で特徴的に摩擦／摩耗低減効果を示す。
【００４６】
また、前記ホスホニウムホスフェートは、潤滑油組成物全体１００重量％に対して０．０５〜３．０重量％、好ましくは０．１〜１．５重量％が含まれるものであり得る。前記ホスホニウムホスフェートの含有量が潤滑油組成物全体１００重量％に対して０．０５重量％未満である場合には、摩擦／摩耗特性の改善効果が微々たるものであり、３．０重量％を超える場合には、ホスホロチオアート化合物との相乗効果がないだけでなく、摩耗を増加させる結果を示すことができて、好ましくない。
【００４７】
本発明の潤滑油組成物は、酸化防止剤、金属洗浄剤、防食剤、泡沫抑制剤、流動点降下剤、粘度調整剤、耐磨耗剤およびこれらの組み合わせよりなる群から選択される添加剤をさらに含んでもよい。
【００４８】
前記酸化防止剤は、潤滑油組成物全体１００重量％に対して０．０１〜５．０重量％が含有でき、好ましくは、フェノール系酸化防止剤とアミン系酸化防止剤とが混合されて使用でき、より好ましくは、前記フェノール系酸化防止剤０．０１〜３．０ｗｔ％とアミン系酸化防止剤０．０１〜３．０ｗｔ％とが混合されて使用できる。
【００４９】
前記フェノール系酸化防止剤は、２，６−ジブチルフェノール、ヒンダードビス−フェノール（ｈｉｎｄｅｒｅｄ  ｂｉｓ−ｐｈｅｎｏｌ）、高分子量のヒンダードフェノール（ｈｉｇｈ  ＭＷ  ｈｉｎｄｅｒｅｄ  ｐｈｅｎｏｌ）及びチオエーテルを有するヒンダードフェノール（ｈｉｎｄｅｒｅｄ  ｐｈｅｎｏｌ  ｗｉｔｈ  ｔｈｉｏｅｔｈｅｒ）よりなる群から選択された１種であり得る。
【００５０】
前記アミン系酸化防止剤は、ジフェニルアミン、アルキル化ジフェニルアミン（ａｌｋｙｌａｔｅｄ  ｄｉｐｈｅｎｙｌ  ａｍｉｎｅ）及びナフチルアミンよりなる群から選択された１種であり、好ましくは、前記アルキル化ジフェニルアミンは、ジオクチルジフェニルアミン、オクチル化ジフェニルアミンまたはブチル化ジフェニルアミンであり得る。
【００５１】
前記金属洗浄剤は、金属フェネート、金属スルホネート、金属サリチレートよりなる群から選択された１種以上であり、好ましくは、前記金属洗浄剤は、潤滑油組成物全体１００重量％に対して０．１〜１０．０重量％が含まれ得る。
【００５２】
前記防食剤は、ベンゾトリアゾール誘導体であり、好ましくは、ベンゾトリアゾール、２−メチルベンゾトリアゾール、２−フェニルベンゾトリアゾール、２−エチルベンゾトリアゾール及び２−プロピルベンゾトリアゾールよりなる群から選択された１種である。また、前記防食剤は、潤滑油組成物全体１００重量％に対して０〜４．０重量％が含まれ得る。
【００５３】
前記泡沫抑制剤は、ポリオキシアルキレンポリオールであり、好ましくは、前記泡沫抑制剤は、潤滑油組成物全体１００重量％に対して０〜４．０重量％が含まれ得る。
【００５４】
前記流動点降下剤は、ポリ（メタクリレート）であり、好ましくは、前記流動点降下剤は、潤滑油組成物全体１００重量％に対して０．０１〜５．０重量％が含まれ得る。
【００５５】
前記粘度調整剤は、ポリイソブチレンまたはポリメタクリレートであり、好ましくは、前記粘度調整剤は、潤滑油組成物全体１００重量％に対して０〜１５重量％が含まれ得る。
【００５６】
前記耐磨耗剤は、有機ホウ酸塩、有機亜リン酸塩、有機硫黄含有化合物、亜鉛−ジアルキルジチオホスフェート、亜鉛−ジアリールジチオホスフェート、及びリン硫化された炭化水素よりなる群から選択された１種以上であり、好ましくは、前記耐磨耗剤は０．０１〜３．０重量％が含まれ得る。
【００５７】
本発明の潤滑油組成物は、ＳＲＶ摩擦係数が０．１〜０．３５であることを特徴とする。また、前記潤滑油組成物は、静止摩擦係数が０．１５〜０．３であることを特徴とする。
【実施例】
【００５８】
以下、本発明の好適な実施例を詳細に説明する。しかし、本発明は、ここで説明される実施例に限定されず、様々な形態で具体化できる。ここで紹介される内容が徹底かつ完全たるものとなるように、当業者に本発明の思想を十分に伝達するために提供するものである。
【００５９】
１．添加剤組成物の製造
下記表２を参照して、本発明の潤滑油組成物に使用される添加剤組成物を製造した。
【００６０】
【表２】
2020139139.tif 000007
２．液状オレフィン共重合体の製造
液状オレフィン共重合体は、触媒反応工程を介してオリゴマー化法によって製造された。下記のとおり、反応時間／条件に応じて分子量別に分離して製造し、製造された液状オレフィン共重合体の物性を下記表３に示した。
【００６１】
反応時間および条件は、２０ｈｒ乃至４ｈｒ単位で増加し、この時、添加される水素の量とコモノマー（ｃｏｍｏｎｏｍｅｒ）（Ｃ３）の量を１０％ずつ増加させながら、各条件に応じて重合した後、分子量別に分離して製造した。
【００６２】
【表３】
2020139139.tif 000008
３．油圧作動油用潤滑油組成物の製造
ベースオイル、液状オレフィン共重合体、ホスホロチオアート化合物、ホスホニウムホスフェート、及び上記で製造された添加剤を下記表４および表５のように混合して潤滑油組成物を製造した。このとき、ベースオイルとして、１００℃での動粘度が４ｃＳｔであるポリアルファオレフィン（Ｃｈｅｖｒｏｎ  Ｐｈｉｌｉｐｓ社製、ＰＡＯ  ４  ｃＳｔ）を使用し、ホスホロチオアート化合物としてモノオスホロチオアート（ｍｏｎｏｐｈｏｓｐｈｏｒｏｔｈｉｏａｔｅ）を使用した。
【００６３】
製造例１〜６７及び比較例１〜１４：添加剤Ａを含む油圧作動油用潤滑油組成物
【００６４】
【表４】
2020139139.tif 000009
2020139139.tif 000010
2020139139.tif 000011
製造例６８乃至１１６及び比較例１５〜５３：添加剤Ｂを含む油圧作動油用潤滑油組成物
【００６５】
【表５】
2020139139.tif 000012
2020139139.tif 000013
2020139139.tif 000014
４．物性評価
製造例及び比較例で製造された潤滑油組成物の物性を下記のとおりに測定し、その結果を下記表６および表７に示した。
【００６６】
摩擦係数（Ｆｒｉｃｔｉｏｎ  Ｃｏｅｆｆｉｃｉｅｎｔ）
Ｂａｌｌ  ｏｎ  ｄｉｓｃ  ｍｏｄｅで４０〜１２０℃まで５０Ｈｚで１０℃ずつ順次昇温しながら、各温度の平均摩擦係数を比較して摩擦性能を評価した。このとき、摩擦係数は、有効性が増加するほどその値が減少する。
【００６７】
静止摩擦係数（Ｔｒａｃｔｉｏｎ  Ｃｏｅｆｆｉｃｉｅｎｔ）
ＰＣＳ−ｉｎｓｔｒｕｍｅｎｔ社製のＭＴＭ装備を用いて摩擦係数を測定した。この時、測定条件を５０Ｎ、ＳＲＲ  ５０％に固定した後、温度を変化させながら、摩擦係数（ｆｒｉｃｔｉｏｎ、ｔｒａｃｔｉｏｎ）を観察した。温度を４０〜１２０℃まで変化させながらその平均値を比較した。
【００６８】
耐摩耗性
４つのＳｔｅｅｌ  ｂａｌｌを用いて、２０ｋｇ  Ｌｏａｄ、１２００ｒｐｍ、５４℃の条件で６０分潤滑油組成物を摩擦させて摩耗痕の大きさを比較し、ＡＳＴＭ  Ｄ４１７２に準拠して評価を行った。この時、テストで摩耗痕（平均摩耗痕径、μｍ）の数値は、有効性が増加するほど減少する。
【００６９】
酸化安定性
ＲＢＯＴ（Ｒｏｔａｔｉｏｎａｌ  Ｂｏｍｂ  Ｏｘｉｄａｔｉｏｎ  Ｔｅｓｔ）測定装備を用いてＡＳＴＭ  Ｄ２２７１に準拠して酸化安定性を測定した。
【００７０】
【表６】
2020139139.tif 000015
2020139139.tif 000016
2020139139.tif 000017
【００７１】
【表７】
2020139139.tif 000018
2020139139.tif 000019
2020139139.tif 000020
前記表６および表７を参照して、液状エチレンアルファオレフィン共重合体、ホスホロチオアート化合物及びホスホニウムホスフェートを本発明の範囲内に含む潤滑油組成物は、比較例から製造された潤滑油組成物と対比して摩耗痕及び摩擦係数が著しく減少し、また、酸化安定性に優れていることを確認することができる。このため、本発明の潤滑油組成物は、摩擦特性及び安定性が改善されて油圧作動油の適用に有利であることが分かった。